(57)【要約】【課題】  撮像素子を備えたカメラモジュールに対してそのレンズの光軸方向の投影面以内の領域内に、しかも、レンズの光軸方向の長さも小さくした、コンパクトであって、デジタルカメラや携帯電話器等の全体の小型化を図ることができ、外部からの衝撃を受けてもレンズ鏡筒の開口部を誤って開閉することのない信頼性の高い小型シャッタを提供すること。【解決手段】  撮像素子２を備えたカメラモジュール３のレンズ鏡筒５を開閉する小型シャッタ１であって、前記カメラモジュール３のレンズ光軸Ｌ方向の投影面領域内において、シャッタ部１４を前記光軸Ｌ方向の対物側に配置し、シャッタ部１４を開閉する開閉駆動部１５を前記レンズ鏡筒５の径方向外側に配置したことを特徴とする。【選択図】      図１
2005037866.tif 000002
【特許請求の範囲】
【請求項１】
撮像素子を備えたカメラモジュールのレンズ鏡筒を開閉する小型シャッタであって、前記カメラモジュールのレンズ光軸方向の投影面領域内において、シャッタ部を前記光軸方向の対物側に配置し、シャッタ部を開閉する開閉駆動部を前記レンズ鏡筒の径方向外側に配置したことを特徴とする小型シャッタ。
【請求項２】
撮像素子を備えたカメラモジュールのレンズ鏡筒の対物側を開閉する回転対称位置に配置されている少なくとも２枚のシャッタ羽根と、正逆回動して前記シャッタ羽根を開閉駆動する環状のアームリングと、このアームリングを正逆回動させる電磁誘導駆動機構と、前記アームリングにおける前記電磁誘導駆動機構に対するカウンタバランスリングとを有することを特徴とする小型シャッタ。
【請求項３】
撮像素子を備えたカメラモジュールのレンズ鏡筒の対物側を開閉する回転対称位置に配置されている少なくとも２枚のシャッタ羽根と、正逆回動して前記シャッタ羽根を開閉駆動する環状のアームリングと、このアームリングとアームリングを支持するケースの一方に環状の磁石を配置し、他方に環状のコイルを配置したことを特徴とする小型シャッタ。
【請求項４】
撮像素子を備えたカメラモジュールのレンズ鏡筒の対物側を開閉する回転対称位置に配置されている２枚のシャッタ羽根と、正逆回動して前記シャッタ羽根を開閉駆動する円弧状の可動アームと、この可動アームを正逆回動させる電磁誘導駆動機構とを有することを特徴とする小型シャッタ。
【請求項５】
撮像素子を備えたカメラモジュールのレンズ鏡筒の対物側を開閉する１枚のシャッタ羽根と、正逆回動して前記シャッタ羽根を開閉駆動する円弧状の可動アームと、この可動アームを正逆回動させる電磁誘導駆動機構とを有することを特徴とする小型シャッタ。
【発明の詳細な説明】
【技術分野】
【０００１】
本発明は、ＣＣＤやＣＭＯＳ等の撮像素子を備えたカメラモジュールのレンズ鏡筒を開閉する小型シャッタに関する。
【背景技術】
【０００２】
一般に、デジタルカメラや携帯電話器等に取り付けられている撮像システムにおいては、小型のレンズをレンズ鏡筒に内蔵したカメラモジュールの対物側にシャッタを配置し、像側にＣＣＤやＣＭＯＳ等の撮像素子を配置している。
【０００３】
このシャッタとしては、レンズ鏡筒の径方向外側に回動中心を置いた１枚のシャッタ羽根を、更に径方向外側に配置したステッピングモータ等の回動駆動手段により正逆回動させて、レンズ鏡筒の開口部を開閉させるように形成されていた。しかしながら、この構成においては、１枚のシャッタ羽根が回動中心部によって片持ち梁状に支持されているために、外部からの衝撃を受けるとシャッタ羽根が開閉動作してしまうという不都合があった。更に、回動駆動手段部分がシャッタモジュールの径方向に大きく突出していて、デジタルカメラや携帯電話器等の全体の小型化を図ることの障害となっていた。
【０００４】
そこで、レンズ鏡筒の対物側にレンズの光軸を挟むようにして２枚のシャッタ羽根を対向配置し、同じく対物側のシャッタ羽根より光軸方向外側に駆動手段をも配置して、レンズ鏡筒の開口を開閉するシャッタシステムが提案されている（特許文献１および２参照）。
【０００５】
【特許文献１】特開２００２−３４５２２５号公報
【特許文献２】特開２００３−１１１３７６号公報
【発明の開示】
【発明が解決しようとする課題】
【０００６】
しかしながら、前記特許文献１および２に記載のシャッタシステムにおいては、２枚のシャッタ羽根を駆動する駆動手段部分を形成する多数の部品をレンズの光軸方向に順に並列配置しているために、シャッタシステム全体のレンズの光軸方向の長さが長くなり、デジタルカメラや携帯電話器等のレンズの軸方向の小型化を図ることの障害となっていた。
【０００７】
本発明はこれらの点に鑑みてなされたものであり、撮像素子を備えたカメラモジュールに対してそのレンズの光軸方向の投影面以内の領域内に、しかも、レンズの光軸方向の長さも小さくした、コンパクトであって、デジタルカメラや携帯電話器等の全体の小型化を図ることができ、外部からの衝撃を受けてもレンズ鏡筒の開口部を誤って開閉することのない信頼性の高い小型シャッタを提供することを目的とする。
【課題を解決するための手段】
【０００８】
前記目的を達成するために本発明の小型シャッタは、撮像素子を備えたカメラモジュールのレンズ鏡筒を開閉する小型シャッタであって、前記カメラモジュールのレンズ光軸方向の投影面領域内において、シャッタ部を前記光軸方向の対物側に配置し、シャッタ部を開閉する開閉駆動部を前記レンズ鏡筒の径方向外側に配置したことを特徴とする。このように構成したので、本発明の小型シャッタは、撮像素子を備えたカメラモジュールに対してそのレンズの光軸方向の投影面以内の領域内に、しかも、レンズの光軸方向の長さも小さくしてコンパクトに形成される。従って、デジタルカメラや携帯電話器等の全体の小型化を図ることができ、外部からの衝撃を受けてもレンズ鏡筒の開口部を誤って開閉することのない信頼性の高い小型シャッタが得られる。
【０００９】
また、本発明の小型シャッタは、撮像素子を備えたカメラモジュールのレンズ鏡筒の対物側を開閉する回転対称位置に配置されている少なくとも２枚のシャッタ羽根と、正逆回動して前記シャッタ羽根を開閉駆動する環状のアームリングと、このアームリングを正逆回動させる電磁誘導駆動機構と、前記アームリングにおける前記電磁誘導駆動機構に対するカウンタバランスリングとを有することを特徴とする。このように構成したので、本発明の小型シャッタは、より確実に小型化を図ることができる。
【００１０】
また、本発明の小型シャッタは、撮像素子を備えたカメラモジュールのレンズ鏡筒の対物側を開閉する回転対称位置に配置されている少なくとも２枚のシャッタ羽根と、正逆回動して前記シャッタ羽根を開閉駆動する環状のアームリングと、このアームリングとアームリングを支持するケースの一方に環状の磁石を配置し、他方に環状のコイルを配置したことを特徴とする。このように構成したので、本発明の小型シャッタは、シャッタ羽根の開閉駆動部の小型化をより確実に図ることができる。
【００１１】
また、本発明の小型シャッタは、撮像素子を備えたカメラモジュールのレンズ鏡筒の対物側を開閉する回転対称位置に配置されている２枚のシャッタ羽根と、正逆回動して前記シャッタ羽根を開閉駆動する円弧状の可動アームと、この可動アームを正逆回動させる電磁誘導駆動機構とを有することを特徴とする。このように構成したので、本発明の小型シャッタはシャッタ羽根の開閉駆動部の小型化をより確実に図ることができる。
【００１２】
また、本発明の小型シャッタは、撮像素子を備えたカメラモジュールのレンズ鏡筒の対物側を開閉する１枚のシャッタ羽根と、正逆回動して前記シャッタ羽根を開閉駆動する円弧状の可動アームと、この可動アームを正逆回動させる電磁誘導駆動機構とを有することを特徴とする。このように構成したので、本発明の小型シャッタはシャッタ羽根の開閉駆動部の小型化をより確実に図ることができる。
【発明の効果】
【００１３】
本発明の小型シャッタはこのように構成され作用するものであるから、撮像素子を備えたカメラモジュールに対してそのレンズの光軸方向の投影面以内の領域内に、しかも、レンズの光軸方向の長さも小さくした、コンパクトであって、デジタルカメラや携帯電話器等の全体の小型化を図ることができ、外部からの衝撃を受けてもレンズ鏡筒の開口部を誤って開閉することのない信頼性の高いものとなる等の優れた効果を奏する。
【発明を実施するための最良の形態】
【００１４】
以下、本発明の実施の形態を図１〜図１７について説明する。
【００１５】
図１〜図４は本発明の１実施形態を示す。
【００１６】
図１は本実施形態の小型シャッタ１の分解斜視図を示している。小型シャッタ１はＣＣＤやＣＭＯＳ等の撮像素子２を備えたカメラモジュール３の対物側に配置される。このカメラモジュール３は約１０ｍｍ角の正方形断面を有する本体部４からレンズ鏡筒５を突出形成されており、レンズ鏡筒５の開口６の内側にレンズ７が内蔵されている。本発明の小型シャッタ１は、カメラモジュール３側のベース箱体８と上側の蓋体９とで形成されるケース１０の内部に、構成各部を配置して形成されている。本実施形態においては、このケース１０の断面の大きさを、カメラモジュール３の本体部４のレンズ７の光軸Ｌ方向の投影面、即ち約１０ｍｍ角の大きさと同一として、シャッタ全体をカメラモジュール３の投影面以内の領域内に納めるようにしている。ベース箱体８には光軸Ｌを中心としてレンズ鏡筒５の対物側端部に丁度被さる大きさの筒状部１１が設けられている。この筒状部１１と外壁部１２との環状の空所１３に、２枚のシャッタ羽根１４、１４を開閉駆動するリングアーム１５が回動自在に収容されている。シャッタ羽根１４、１４はリングアーム１５と蓋体９との間に光軸Ｌを中心として回転対称位置に介装されており、その最外部の回転中心孔１６を蓋体９に突設した支点軸１７に遊合させて開閉運動自在とされている。更に、シャッタ羽根１４、１４は途中の長孔１８をリングアーム１５に突設した駆動ピン１９に遊合させて、リングアーム１５の正逆回転によって支点軸１７を中心として回動して、レンズ鏡筒５の開口６を開閉するようにされている。リングアーム１５の１箇所には、電磁誘導作用によってリングアーム１５を回動させるためのコイル２０が固着されている。このコイル２０に対してマグネット２１が対向配置されているとともに、ベース箱体８にはコイル２０とマグネット２１とを間に挟む略Ｕ字形のヨーク２２が固着されている。マグネット２１はこのヨーク２２の内面側に支持されている。これらのコイル２０、マグネット２１およびヨーク２２によってリングアームを回動させる電磁誘導駆動部（各実施形態において同じ）が形成されている。更に、リングアーム１５のコイル２０が取り付けられている箇所の反対側の位置には、電磁誘導駆動部の重さとバランスさせるためのカウンタバランスリング２３が固着されている。このカウンタバランスリング２３はリングアーム１５と一体形成してもよい。また、リングアーム１５はベース箱体８の空所１３の底部の周方向３等分位置に配置したボス２４によって回転運動を円滑に行い得るように支持されている。
【００１７】
次に、このように形成されている本実施形態の作用を説明する。
【００１８】
コイル２０に対して１方向の電流を通電すると、コイル２０に発生した磁界とマグネット２１の磁界との作用によって、コイル２０と一体結合されているリングアーム１５が回動する。例えば、図３においてリングアーム１５が反時計方向に回動すると、各シャッタ羽根１４が駆動ピン１９で長孔１８部分を押されて支点軸１７を中心として互いに近づく方向に回動して、レンズ鏡筒５の開口６を閉じる動作を行う。各シャッタ羽根１４がレンズ鏡筒５の開口６を全閉としたところで通電を停止すると、その場でリングアーム１５が止まり、開口６は閉じたままとされる。
【００１９】
コイル２０に対して逆方向の電流を通電すると、前記と逆にリングアーム１５が図３において時計方向に回動し、各シャッタ羽根１４が互いに離れる方向に回動して、レンズ鏡筒５の開口６を図３の位置から更に開く動作を行う。各シャッタ羽根１４がレンズ鏡筒５の開口６を全開としたところで通電を停止すると、その場でリングアーム１５が止まり、開口６は開いたままとされる。
【００２０】
このように、コイル２０への通電を停止した位置においてリングアーム１５は停止するので、例えば、図５に示すように、位置センサ３５を設けてリングアーム１５の位置を検出しながらコイル２０への通電電流の方向および通電時間を制御した通電制御を行うことにより、例えば、シャッタ羽根１４を図３および図５（ｂ）の中間位置と、中間位置から閉じた閉位置（図５（ｃ）参照）と、中間位置から更に開いた最開位置（図５（ａ）参照）の３点において停止させて、絞りを可変制御するようにしてもよい。
【００２１】
更に説明すると、位置センサ３５は図５に示すように、リングアーム１５のカウンタバランスリング２３と反対側の上面に固着されたセンサマグネット３６とこれに対向するホール素子３７とにより形成されている。センサマグネット３６は同図（ｄ）に示すように、２個の永久磁石３６ａ、３６ｂのＳＮ極を中央で逆方向として連結して形成されている。ホール素子３７はこれらの永久磁石３６ａ、３６ｂとの対向位置の変化により図６に示す特性のセンサ出力を出力するように形成されている。この位置センサ３５の出力を利用して図７に示す制御回路によりシャッタ羽根１４の開度制御が行われる。具体的には、カメラのシャッタボタン３８が押されると、ＣＰＵ等からなるカメラ用制御手段４０がシャッタドライバ４０にシャッタ羽根１４を開放させる指令を出力して、コイル２０に通電してシャッタ羽根１４を全開とさせる。このシャッタ羽根１４の全開状態において撮像素子２から被写体の輝度情報がカメラ用制御手段３９に入力される。カメラ用制御手段３９においては、輝度情報に基づいてシャッタ羽根４の絞り度合いを決定してシャッタドライバ４０に開度指令を出力して、コイル２０に通電してシャッタ羽根１４の開度を調整する。その際に、位置センサ３５からシャッタ羽根１４の開度に応じた出力が位置センサアンプ４１に出力され、更に増幅されてカメラ用制御手段３９に入力され、開度指令に応じた開度にシャッタ羽根１４が到達した時にシャッタドライバ４０に通電を停止する指令を出力してシャッタ羽根１４を所定の開度に保持させる。
【００２２】
また、本実施形態においては、２枚のシャッタ羽根１４、１４を回転対称位置に配置しているために、外部からの衝撃を受けても各シャッタ羽根１４に衝撃力が逆方向に作用して、力をうち消すことができるので、レンズ鏡筒５の開口６部を誤って開閉することのない信頼性の高い小型シャッタ１が得られる。
【００２３】
更に、本実施形態においては、カメラモジュール３のレンズ鏡筒５の対物側にはシャッタ羽根１４のみを配置するようにしているために、光軸Ｌ方向の大きさ（長さ）を小さく形成することができ、更に、ケース１０のベース箱体８の空所１３内、即ちレンズ鏡筒５の径方向外側であり、かつ、カメラモジュール３の光軸Ｌ方向の投影面以内の領域内にシャッタ羽根１４を開閉駆動する開閉駆動部となるリングアーム１５等を配置したので、全体構成をコンパクトに形成することができる。従って、デジタルカメラや携帯電話器等の全体の小型化を図ることができる。
【００２４】
図８および図９は本発明の他の実施形態の小型シャッタ１ａを示す。
【００２５】
本実施形態の小型シャッタ１ａにおいては、リングアーム１５に略Ｕ字形のヨーク２２ａとマグネット２１ａを固着し、コイル２０ａをマグネット２１ａとヨーク２２ａとの間に介在させたものであり、その他は図１〜図４に示す実施形態と同様に形成されている。なお、図９においてカウンタバランスリング２３の図示を省略してある。
【００２６】
本実施形態においても、前記実施形態と同様に、コイル２０ａへの通電を停止した位置においてリングアーム１５は停止する。従って、更に、図示しない位置センサを設けてリングアーム１５の位置を検出しながらコイル２０ａへの通電電流の方向および通電時間を制御した通電制御を行うことにより、例えば、シャッタ羽根１４を図３の中間位置と、中間位置から閉じた閉位置と、中間位置から更に開いた最開位置の３点において停止させて、絞りを可変制御するようにしてもよい。また、小型化も十分に図られる。
【００２７】
図１０および図１１は本発明の更に他の実施形態の小型シャッタ１ｂを示す。
【００２８】
本実施形態の小型シャッタ１ｂにおいては、リングアーム１５にマグネット２１ｂを水平状に固着し、基板２５から３本のポール２６を立設したヨーク２２ｂをベース箱体８に固着し、中央のポール２６にコイル２０ｂを遊嵌させたものであり、その他は図１〜図４に示す実施形態と同様に形成されている。なお、図１１においてカウンタバランスリング２３の図示を省略してある。
【００２９】
本実施形態において、コイル２０ｂに対して１方向の電流を通電すると、コイル２０ｂに発生した磁界とマグネット２１ｂの磁界との作用によって、コイル２０ｂと一体結合されているリングアーム１５が回動する。例えば、図３を想定して、リングアーム１５が反時計方向に回動すると、各シャッタ羽根１４が駆動ピン１９で長孔１８部分を押されて支点軸１７を中心として互いに近づく方向に回動して、レンズ鏡筒５の開口６を閉じる動作を行う。通電を停止すると、リングアーム１５はマグネット２１ｂの磁力に引かれて、図３の位置に戻る。
【００３０】
一方、コイル２０ｂに対して逆方向の電流を通電すると、前記と逆にリングアーム１５が図３において時計方向に回動し、各シャッタ羽根１４が互いに離れる方向に回動して、レンズ鏡筒５の開口６を図３の位置から更に開く動作を行う。通電を停止すると、リングアーム１５はマグネット２１ｂの磁力に引かれて、図３の位置に戻る。
【００３１】
このように、コイル２１ｂへの通電制御することにより、シャッタ羽根１４を図３の中間位置と、中間位置から閉じた閉位置と、中間位置から更に開いた最開位置の３点において停止させて、絞りを可変制御することができる。また、小型化も十分に図られる。
【００３２】
図１２は本発明の更に他の実施形態の小型シャッタ１ｃを示す。
【００３３】
本実施形態の小型シャッタ１ｃにおいては、リングアーム１５の内面にマグネット２１ｃを印刷したマグネットフィルム２７を貼り付け、ベース箱体８の筒状部１１の外周面にコイル２０ｃを印刷したコイルフィルム２８を貼り付け、前記各実施形態のカウンタバランスリング２３とヨーク２２、２２ａ、２２ｂを省略したものであり、その他は図１〜図４に示す実施形態と同様に形成されている。マグネットフィルム２７とコイルフィルム２８とは、リングアーム１５と筒状部１１とにおいて逆位置に貼り付けるようにしてもよい。
【００３４】
本実施形態においても、前記実施形態と同様に、コイル２０ｃへの通電を停止した位置においてリングアーム１５は停止する。従って、更に、図示しない位置センサを設けてリングアーム１５の位置を検出しながらコイル２０ｃへの通電電流の方向および通電時間を制御した通電制御を行うことにより、例えば、シャッタ羽根１４を図３の中間位置と、中間位置から閉じた閉位置と、中間位置から更に開いた最開位置の３点において停止させて、絞りを可変制御するようにしてもよい。また、小型化も十分に図られる。
【００３５】
図１３から図１５は本発明の更に他の実施形態の小型シャッタ１ｄを示す。
【００３６】
本実施形態の小型シャッタ１ｄにおいては、環状のリングアーム１５に代えて中心角が略２７０度の円弧状の可動アーム２９を回動自在に配設し、この可動アーム２９の両端部にそれぞれマグネット２１ｄ、２１ｄを固着してある。ベース箱体８には、両翼部２２ｄａ、２２ｄｂを広げた状態のヨーク２２ｄが両端面を移動する両マグネット２１ｄ、２１ｄの端面と衝突しない間隙を介して配設されており、ヨーク２２ｄの中心部にはコイル２０ｄが装着されている。その他は図１〜図４に示す実施形態と同様に形成されている。
【００３７】
本実施形態において、コイル２０ｄに対して１方向の電流を通電すると、コイル２０ｄに発生した磁界とマグネット２１ｄ、２１ｄの磁界との作用によって、マグネット２１ｄ、２１ｄと一体結合されている可動アーム２９が回動する。例えば、図１４に示すように、ヨーク２２ｄの一方の翼部２２ｄａがＳ極となるようにコイル２０ｄに電流を通電すると、翼部２２ｄａのＳ極とマグネット２１ｄのＮ極との吸磁力と翼部２２ｄｂ側の反発力により可動アーム２９が時計方向に回動し、両シャッタ羽根１４がレンズ鏡筒５の開口６の中心方向に移動して開口６を閉じる動作を行う。通電を停止すると、可動アーム２９はマグネット２１ｄとヨーク２２ｄの一方の翼部２２ｄａとの間の吸磁力によって引かれるので、両シャッタ羽根１４はレンズ鏡筒５の開口６を閉じた状態を維持する。
【００３８】
一方、コイル２０ｄに対して逆方向の電流を通電すると、前記と逆に可動アーム２９が図１５において反時計方向に回動し、各シャッタ羽根１４が互いに離れる方向に回動して、レンズ鏡筒５の開口６を開く動作を行う。通電を停止すると、可動アーム２９はマグネット２１ｄとヨーク２２ｄの他方の翼部２２ｄｂとの間の吸磁力によって引かれるので、両シャッタ羽根１４はレンズ鏡筒５の開口６を開いた状態を維持する。
【００３９】
このように、コイル２１ｄへの通電制御することにより、シャッタ羽根１４を開閉動作させることができ、コイル２０ｄへの非通電時にはマグネット２１ｄ、２１ｄ吸磁力によってシャッタ羽根１４の位置を確実に保持することができ、外部からの衝撃を受けてもシャッタ羽根１４は不動状態に保持される。また、環状ではない円弧状の可動アーム２９を用いているためにさらなる小型化も十分に図られる。
【００４０】
図１６から図１８は本発明の更に他の実施形態の小型シャッタ１ｅを示す。
【００４１】
本実施形態の小型シャッタ１ｅにおいては、ケース１０の全体形状を円筒形とし、１枚のシャッタ羽根１４ａによってレンズ鏡筒５の開口６を開閉させるようにし、更に図１３の実施形態と同様に、環状のリングアーム１５に代えて中心角が略１８０度の円弧状の可動アーム３０を回動自在に配設し、この可動アーム３０の両端部にそれぞれマグネット２１ｅ、２１ｅを固着してある。ベース箱体８には、円弧状のヨーク２２ｅが両端面を移動する両マグネット２１ｅ、２１ｅの端面と衝突しない間隙を介して配設されており、ヨーク２２ｅの中心部にはコイル２０ｅが装着されている。本実施形態においては、ケース１１の全体を円筒状に形成し、更にレンズ鏡筒５の開口６部分がテーパ状に形成されているために、筒状部１１もテーパ状に形成されている。その他は図１〜図４に示す実施形態と同様に形成されている。
【００４２】
本実施形態において、コイル２０ｅに対して１方向の電流を通電すると、コイル２０ｅに発生した磁界とマグネット２１ｅ、２１ｅの磁界との作用によって、マグネット２１ｅ、２１ｅと一体結合されている可動アーム３０が回動する。例えば、図１７に示すように、ヨーク２２ｅの一方の端部２２ｅａがＳ極となるようにコイル２０ｅに電流を通電すると、ヨーク２２ｅのＳ極とマグネット２１ｅのＮ極との吸磁力と反対側の反発力により可動アーム３０が反時計方向に回動し、シャッタ羽根１４ａがレンズ鏡筒５の開口６の中心方向に移動して開口６を閉じる動作を行う。ヨーク２２ｅの端部には衝撃吸収用のゴムの様な弾性体製のカバー３１を被せてあるので、シャッタ羽根４ａが閉じる時の衝撃が良好に吸収されるとともに、閉じる速度を早く設定することもできる。通電を停止すると、可動アーム３０はマグネット２１ｅとヨーク２２ｅの一方の端部との間の吸磁力によって引かれるので、シャッタ羽根１４ａはレンズ鏡筒５の開口６を閉じた状態を維持する。
【００４３】
一方、コイル２０ｅに対して逆方向の電流を通電すると、前記と逆に可動アーム３０が図１８において時計方向に回動し、シャッタ羽根１４ａ逆方向に回動して、レンズ鏡筒５の開口６を開く動作を行う。通電を停止すると、可動アーム３０はマグネット２１ｅとヨーク２２ｅの他方の端部との間の吸磁力によって引かれるので、シャッタ羽根１４ａはレンズ鏡筒５の開口６を開いた状態を維持する。
【００４４】
このように、コイル２１ｅへの通電制御することにより、シャッタ羽根１４ａを開閉動作させることができ、コイル２０ｅへの非通電時にはいずれか一方のマグネット２１ｅの吸磁力によってシャッタ羽根１４ａの位置を確実に保持することができ、外部からの衝撃を受けてもシャッタ羽根１４ａは不動状態に保持される。また、環状ではない円弧状の可動アーム３０を用いているためにさらなる小型化も十分に図られる。ケース１０が円筒形のために成型が容易となる。
【００４５】
なお、本発明は前記実施の形態に限定されるものではなく、必要に応じて変更することができる。例えば、シャッタ羽根は３枚以上としてもよい。
【図面の簡単な説明】
【００４６】
【図１】本発明の小型シャッタの１実施形態を示す分解斜視図
【図２】図１の実施形態の裏面側から見たベース箱体を除いた斜視図
【図３】図２の拡大平面図
【図４】図３の正面図
【図５】（ａ）〜（ｄ）はシャッタの開度を検出する位置センサの実施形態を示す平面図並びに構成図
【図６】図５の位置センサの出力特性図
【図７】シャッタ駆動用の回路図
【図８】本発明の小型シャッタの他の実施形態を示す分解斜視図
【図９】図８の実施形態の裏面側から見たベース箱体を除いた斜視図
【図１０】本発明の小型シャッタの更に他の実施形態を示す分解斜視図
【図１１】図１０の実施形態の裏面側から見たベース箱体を除いた斜視図
【図１２】本発明の小型シャッタの更に他の実施形態を示す分解斜視図
【図１３】本発明の小型シャッタの更に他の実施形態を示す分解斜視図
【図１４】図１３の実施形態のシャッタ羽根の全閉時を示すの平面図
【図１５】図１３の実施形態のシャッタ羽根の全開時を示すの平面図
【図１６】本発明の小型シャッタの更に他の実施形態を示す分解斜視図
【図１７】図１６の実施形態のシャッタ羽根の全閉時を示すの平面図
【図１８】図１６の実施形態のシャッタ羽根の全開時を示すの平面図
【符号の説明】
【００４７】
１、１ａ、１ｂ、１ｃ、１ｄ、１ｅ  小型シャッタ
２  撮像素子
３  カメラモジュール
５  レンズ鏡筒
１４、１４ａ  シャッタ羽根
１５  リングアーム
２０、２０ａ、２０、２０ｃ、２０ｄ、２０ｅ  コイル（電磁誘導駆動機構）
２１、２１ａ、２１、２１ｃ、２１ｄ、２１ｅ  マグネット（電磁誘導駆動機構）
２２、２２ａ、２２、２２ｃ、２２ｄ、２２ｅ  ヨーク（電磁誘導駆動機構）
２３  カウンタバランスリング
２９、３０  可動アーム
【図１】
2005037866.tif 000003
【図２】
2005037866.tif 000004
【図３】
2005037866.tif 000005
【図４】
2005037866.tif 000006
【図５】
2005037866.tif 000007
【図６】
2005037866.tif 000008
【図７】
2005037866.tif 000009
【図８】
2005037866.tif 000010
【図９】
2005037866.tif 000011
【図１０】
2005037866.tif 000012
【図１１】
2005037866.tif 000013
【図１２】
2005037866.tif 000014
【図１３】
2005037866.tif 000015
【図１４】
2005037866.tif 000016
【図１５】
2005037866.tif 000017
【図１６】
2005037866.tif 000018
【図１７】
2005037866.tif 000019
【図１８】
2005037866.tif 000020